(57)【要約】【課題】ヒゲ状の突起によって用紙等のシート片を挟む挟持具において、真下に引いて抜き取ることが弱い力で出来るようにする。また、球体によってシート片を挟む挟持具においては、真上に引いて抜き取ることが出来るものにする。【解決手段】シート片４を挟む突起の傾斜を、シート片４を挟持させる差し込み口５から差し込み先６に向けたものでない横向きに傾斜した傾斜突起抵抗体７として設ける。またシート片４を差し込んで突き当たる奥に、シート片４を抜き取ることが出来る取出し口８を設ける。【選択図】          図１
2004306397.tif 000002
【特許請求の範囲】
【請求項１】
対向する上側となる押え板（１）と下側となる基台板（２）との間に空間を設けて挟持体（３）を形成し、その空間にシート片（４）を挟持させる差し込み口（５）から差し込み先（６）に向けての垂直方向となる前後に向けての傾斜を除く傾斜方向に、ゴム質のごとき摩擦抵抗があって弾力性のある棒状の素材による複数の傾斜突起抵抗体（７）を空間に向けて押え板（１）や基台板（２）より設けたことを特徴とするシート片挟持具。
【請求項２】
対向する上側となる押え板（１）と下側となる基台板（２）との間に空間を設けて挟持体（３）を形成し、その空間にシート片（４）を挟持させる差し込み口（５）から差し込み先（６）に向けての垂直方向となる前後に向けての傾斜を含む傾斜方向に、ゴム質のごとき摩擦抵抗があって弾力性のある棒状の素材による複数の傾斜突起抵抗体（７）を空間に向けて押え板（１）や基台板（２）より設け、その挟持体（３）の差し込み先（６）側に差し込んだシート片（４）が引き出せる取出し口（８）を設けたことを特徴とするシート片挟持具。
【請求項３】
ゴム質のごとき摩擦抵抗があって弾力性のある棒状の素材による複数の傾斜突起抵抗体（７）を金属やプラスチック等による重さのある球体に変え、空間で球体が浮いて回動することが出来るものの重力によって挟む浮動抵抗体（９）を設けた請求項２記載のシート片挟持具。
【請求項４】
球体の浮動抵抗体（９）を鋼材やプラスチック材等の板ばね（１０）に変え、その板ばね（１０）の一端を押え板（１）に固定し、その板ばね（１０）の他端を自由状態として差し込み先（６）に向けて基台板（２）と圧接状態に設けた請求項３記載のシート片挟持具。
【発明の詳細な説明】
【０００１】
【発明の属する技術分野】
この発明は、ゴム等による棒状の突起抵抗体、回動する球体の浮動抵抗体及び板ばねによって用紙等のシート片を挟持する挟持具に関するものである。
【０００２】
【従来の技術】
従来、用紙等のシート片を挟持する挟持具としては、複数のヒゲをヒゲ板の片側から斜め上向きに突出させた傾斜突起抵抗体を、対向する上側となる押え板と下側となる基台板との空間に設けている挟持具があった。（例えば特許文献１参照）
また、対向する上側となる押え板と下側となる基台板との空間に浮いて回動する球体を設けた挟持具（例えば特許文献２参照）や板ばねの圧接によって挟む挟持具もあった。（例えば特許文献３参照）
【０００３】
【特許文献１】
特開平３−２５４９９８号公報
【特許文献２】
実開昭５０−７２３１２号公報
【特許文献３】
実開平４−３８４７３号公報
【０００４】
【発明が解決しようとする課題】
従来の複数のヒゲをヒゲ板の片側から斜め上向きに突出させた傾斜突起抵抗体によって用紙を挟持するものにあっては、複数枚の用紙を挟んでいる状態から一番上の用紙を真下に引き抜いた後に再び差し戻しをすると、傾斜突起抵抗体の複数のヒゲが差し込み口に向かっての真下に反り返っているので、差し込みが出来ない状態になる欠点と、挟持している用紙を真下に引き抜くときに強い力で引かなければならない欠点とがあり、球体によって用紙を挟持する挟持具では用紙を真下に引き抜くことが出来ず、横にしか引き抜けない問題点があった。
【０００５】
【課題を解決するための手段】
本発明に係わる挟持具は、複数枚の用紙を挟んでいる状態から一番上の用紙を真下に引き抜いた後に、傾斜突起抵抗体７の複数のヒゲが差し込み口５に向かっての真下に反り向かないものとなる棒状の傾斜突起抵抗体７を設けるものとしている。
棒状の傾斜突起抵抗体７が真下に反り向かないものとなる手段としては、その傾斜突起抵抗体７を傾斜させる先端の方向が、シート片４を挟持させる差し込み口５から差し込み先６に向けての垂直方向となる前後に向けての傾斜を除く傾斜方向に向けて設けることである。
すなわち、棒状の傾斜突起抵抗体７が差し込み口５から見て横に傾いているものであるから、シート片４の差し込みと引き抜きとの動きに対しての傾斜突起抵抗体７の動きは、反り返りではなく横揺れとなることでシート片４の縁と引っ掛かっても弱い力で横揺れを起こして進むことができることになり、用紙を真下に引き抜いた後にでも差し込みが円滑に行うことが出来ることになる。
【０００６】
棒状の傾斜突起抵抗体７の数は挟持体３の大きさや横長にする等の形状は自由であり、押え板１からだけに傾斜突起抵抗体７を設けたり、基台板２からだけに傾斜突起抵抗体７を設けたり、押え板１と基台板２との両方から向かい合わせに傾斜突起抵抗体７を設けたりする等の組み合わせは自由である。
【０００７】
球体の重力によってシート片４を挟持する挟持具は、差し込み口５から引き抜くことが出来ないものであるが、球体を上に引き上げながらシート片４を上に引き抜けば、重力をマイナスにして引き抜くことが出来るものである。
したがって、差し込み先６より差し込んだシート片４が引き出せる取出し口８を設けた挟持体３として形成することが考えられるものである。この取出し口８を設けることによって、球体の重力によってシート片４を挟持する挟持具は、差し込み口５から引き抜けなくても真上に引き抜くことが出来るものとなる。
差し込み口５から引き抜ける板ばねによる挟持具であっても、取出し口８を差し込み先６に設けることで、原稿写しに便利なホルダーとして新しい用途が誕生するものである。
【０００８】
【発明の実施の形態】
本発明に係わる実施の形態の一つとしては、図１に示すように、ゴム質のごとき摩擦抵抗があって弾力性のある素材による棒状で傾斜した傾斜突起抵抗体７を押え板１より設けたものとしている。
そして、この傾斜突起抵抗体７の傾斜方向は、差し込み口５方向でもなく差し込み先６でもない方向としているものであって、この傾斜突起抵抗体７の傾斜方向は図２に示すように、横方向に傾斜したものとしている。
この横方向に傾斜した傾斜突起抵抗体７に用紙等のシート片４を差し込み口５から差し込むと、シート片４の先端縁が傾斜突起抵抗体７を差し込み先６へと押すことになり、傾斜突起抵抗体７が差し込み先６側に動くのでシート片４は前進することが出来て傾斜突起抵抗体７の下に挟まることが出来るものである。
【０００９】
二枚目のシート片４を差し込むと、一枚目のシート片４で傾斜突起抵抗体７が差し込み先６側に傾いた状態ではあるが、横方向に傾斜したままであって、反り返る状態になることがないため、円滑に差し込むことが出来るものとしている。
この二枚目のシート片４を抜いてみると、傾斜突起抵抗体７は横方向に傾斜したまま差し込み口５側に傾いた状態となって、差し込み口５側に向けて反り返る状態になることがないので抜いた後にシート片４を差し込むことが円滑に出来ることになる。
本発明に係わる傾斜突起抵抗体７は、図３に示すように、上側となる押え板１と下側となる基台板２との上下から向かい合わせに設けていて、この上下の傾斜突起抵抗体７の先端はお互いが接触状態としているが、接触していない状態とすることも当然できるものである。
【００１０】
本発明に係わる挟持体（３）の形状は、横長にすることが考えられるものであって、展開状態を示す図４と折り曲げて使用状態を示す図５とのものは、差し込み先６に差し込んだシート片４を抜き取る取出し口８を設けたものとしている。
この取出し口８を設けた挟持体３においては、棒状の傾斜突起抵抗体７を差し込み先６に向けて傾斜させたものにも適用することが出来るもので、挟持体３を横長にしたものは差し込み口５から差し込んだシート片４を取出し口８から一寸づつ引っ張りながら原稿の一行づつを引き出して原稿を読んだり書き写したりする原稿ホルダーになり、今までに無い機能を発揮することができるものとなる。
このような横長にした挟持体３に設ける棒状の傾斜突起抵抗体７は、左右の二箇所などの複数箇所に分けて設けることや全体に設けることなど様々なことが考えられるものである。
【００１１】
また、取出し口８を設けた挟持体３としては、図６に示すように、球体による挟持具が考えられ、この球体の数は少なくとも１個を必要とする。
従来の球体による挟持具においては、下から上に向けて差し込み、横に引き抜くものであって、下に引き抜くことが出来ないものであった。
この従来の球体による挟持具に取出し口８を設ければ、原稿の保持具として優れた機能を世の中に提供することが出来るものと考えられる。
【００１２】
球体による挟持具の他には、図７に示す板ばねによる挟持具もあって、その挟持具にも取出し口８を設けることが考えられる。この板ばねのものでは、基台板２と圧接している板ばねの先端を下に曲げたり上に曲げたり、ゴムを付けたりなどの変化を設けることが考えられるものであり、挟持体３の大きさや横等への長さは使用目的や用途等によって自由に形成することが出来るものである。
また、板ばねの形状も輪にすることや基台板２から押え板１に向けて取り付けるなど様々に考えられるものである。
原稿ホルダーとするものには、その押え板１を無色や有色で透けて見える可透性の板によって形成し、その板に行を指示する行指示線を設けた押え板１にすることが考えられる。
【００１３】
【発明の効果】
本発明に係わる傾斜突起抵抗体７によるシート片挟持具を使用するときには、シート片４の差し込みと引き抜きとが同じように出来、二枚目のシート片４を引き抜いた後からでもシート片４の差し込みが容易に出来るものである。
また、取出し口８を設けたことによって、下に引き抜くことが出来なかった球体による挟持具が、原稿ホルダーとして一行づつ上に引き抜くことができる機能を持つものになり、今までの挟持具をより使い易いものにすることが出来るものである。
【図面の簡単な説明】
【図１】本発明に係わる実施の形態を示す側面図である。
【図２】本発明に係わる実施の形態を示す正面図である。
【図３】傾斜突起抵抗体を向かい合わせに設けたものを示す側面図である。
【図４】取出し口を設けたシート片挟持具を示す展開平面図である。
【図５】取出し口を設けたシート片挟持具を示す斜視図である。
【図６】球体の浮動抵抗体と取出し口とを設けたシート片挟持具を示す斜視図である。
【図７】板ばねと取出し口とを設けたシート片挟持具を示す側面図である。
【符号の説明】
１  押え板
２  基台板
３  挟持体
４  シート片
５  差し込み口
６  差し込み先
７  傾斜突起抵抗体
８  取出し口
９  浮動抵抗体
１０  板ばね
【図１】
2004306397.tif 000003
【図２】
2004306397.tif 000004
【図３】
2004306397.tif 000005
【図４】
2004306397.tif 000006
【図５】
2004306397.tif 000007
【図６】
2004306397.tif 000008
【図７】
2004306397.tif 000009
【手続補正書】
【提出日】平成16年3月12日(2004.3.12)
【手続補正１】
【補正対象書類名】明細書
【補正対象項目名】全文
【補正方法】変更
【補正の内容】
【特許請求の範囲】
【請求項１】対向する上側となる押え板（１）と下側となる基台板（２）との間に空間を設けて挟持体（３）を形成し、その空間にシート片（４）を挟持させる差し込み口（５）から差し込み先（６）に向けての垂直方向となる前後に向けての傾斜を除く向けての傾斜方向に、ゴム質のごとき摩擦抵抗があって弾力性のある棒状の素材による複数の傾斜突起抵抗体（７）を空間に向けて押え板（１）や基台板（２）より設けたことを特徴とするシート片挟持具。
【発明の詳細な説明】
【０００１】
【発明の属する技術分野】
この発明は、ゴム等による棒状の突起抵抗体によって用紙等のシート片を挟持する挟持具に関するものである。
【０００２】
【従来の技術】
従来、用紙等のシート片を挟持する挟持具としては、複数のヒゲをヒゲ板の片側から斜め上向きに突出させた傾斜突起抵抗体を、対向する上側となる押え板と下側となる基台板との空間に設けている挟持具があった。（例えば特許文献１参照）
【０００３】
【特許文献１】
特開平３−２５４９９８号公報
【０００４】
【発明が解決しようとする課題】
従来の複数のヒゲをヒゲ板の片側から斜め上向きに突出させた傾斜突起抵抗体によって用紙を挟持するものにあっては、複数枚の用紙を挟んでいる状態から一番上の用紙を真下に引き抜いた後に再び差し戻しをすると、傾斜突起抵抗体の複数のヒゲが差し込み口に向かっての真下に反り返っているので、差し込みが出来ない状態になる欠点と、挟持している用紙を真下に引き抜くときに強い力で引かなければならない問題点があった。
【０００５】
【課題を解決するための手段】
本発明に係わる挟持具は、複数枚の用紙を挟んでいる状態から一番上の用紙を真下に引き抜いた後に、傾斜突起抵抗体７の複数のヒゲが差し込み口５に向かっての真下に反り向かないものとなる棒状の傾斜突起抵抗体７を設けるものとしている。
【０００６】
棒状の傾斜突起抵抗体７が真下に反り向かないものとなる手段としては、その傾斜突起抵抗体７を傾斜させる先端の方向が、シート片４を挟持させる差し込み口５から差し込み先６に向けての垂直方向となる前後に向けての傾斜を除く方向への傾斜方向に向けて設けることである。
【０００７】
すなわち、棒状の傾斜突起抵抗体７が差し込み口５から見て横方向に傾いているものであるから、シート片４の差し込みと引き抜きとの動きに対しての傾斜突起抵抗体７の動きは、反り返りではなく横揺れとなることでシート片４の縁と引っ掛かっても弱い力で横揺れを起こして進むことができることになり、用紙を真下に引き抜いた後にでも差し込みが円滑に行うことが出来ることになる。
【０００８】
棒状の傾斜突起抵抗体７の数は挟持体３の大きさや横長にする等の形状は自由であり、押え板１からだけに傾斜突起抵抗体７を設けたり、基台板２からだけに傾斜突起抵抗体７を設けたり、押え板１と基台板２との両方から向かい合わせに傾斜突起抵抗体７を設けたりする等の組み合わせは自由である。
【０００９】
【発明の実施の形態】
本発明に係わる実施の形態の一つとしては、図１に示すように、ゴム質のごとき摩擦抵抗があって弾力性のある素材による棒状で傾斜した傾斜突起抵抗体７を押え板１より設けたものとしている。
【００１０】
そして、この傾斜突起抵抗体７の傾斜方向は、差し込み口５方向でもなく差し込み先６でもない方向としているものであって、この傾斜突起抵抗体７の傾斜方向は図２に示すように、横方向に傾斜したものとしている。
【００１１】
この横方向に傾斜した傾斜突起抵抗体７に用紙等のシート片４を差し込み口５から差し込むと、シート片４の先端縁が傾斜突起抵抗体７を差し込み先６へと押すことになり、傾斜突起抵抗体７が差し込み先６側に動くのでシート片４は前進することが出来て傾斜突起抵抗体７の下に挟まることが出来るものである。
【００１２】
二枚目のシート片４を差し込むと、一枚目のシート片４で傾斜突起抵抗体７が差し込み先６側に傾いた状態ではあるが、横方向に傾斜したままであって、反り返る状態になることがないため、円滑に差し込むことが出来るものとしている。
【００１３】
この二枚目のシート片４を抜いてみると、傾斜突起抵抗体７は横方向に傾斜したまま差し込み口５側に傾いた状態となって、差し込み口５側に向けて反り返る状態になることがないので抜いた後にシート片４を差し込むことが円滑に出来ることになる。
【００１４】
本発明に係わる傾斜突起抵抗体７は、図３に示すように、上側となる押え板１と下側となる基台板２との上下から向かい合わせに設けていて、この上下の傾斜突起抵抗体７の先端はお互いが接触状態としているが、接触していない状態とすることも当然できるものである。
【００１５】
本発明に係わる挟持体（３）の形状は、横長にすることが考えられるものであって、展開状態を示す図４と折り曲げて使用状態を示す図５とのものは、差し込み先６に差し込んだシート片４を抜き取る取出し口８を設けたものとしている。
【００１６】
この取出し口８を設けた挟持体３においては、棒状の傾斜突起抵抗体７を差し込み先６に向けて傾斜させたものにも適用することが出来るもので、挟持体３を横長にしたものは差し込み口５から差し込んだシート片４を取出し口８から一寸づつ引っ張りながら原稿の一行づつを引き出して原稿を読んだり書き写したりする原稿ホルダーになり、今までに無い機能を発揮することができるものとなる。
【００１７】
このような横長にした挟持体３に設ける棒状の傾斜突起抵抗体７は、左右の二箇所などの複数箇所に分けて設けることや全体に設けることなど様々なことが考えられるものである。
【００１８】
【発明の効果】
本発明に係わる傾斜突起抵抗体７によるシート片挟持具を使用するときには、シート片４の差し込みと引き抜きとが同じように出来、複数枚挟んだ状態での一番上になるシート片４を引き抜いた後からでもシート片４の差し込みが容易に出来るものである。
【図面の簡単な説明】
【図１】本発明に係わる実施の形態を示す側面図である。
【図２】本発明に係わる実施の形態を示す正面図である。
【図３】傾斜突起抵抗体を向かい合わせに設けたものを示す側面図である。
【図４】取出し口を設けたシート片挟持具を示す展開平面図である。
【図５】取出し口を設けたシート片挟持具を示す斜視図である。
【符号の説明】
１  押え板
２  基台板
３  挟持体
４  シート片
５  差し込み口
６  差し込み先
７  傾斜突起抵抗体
８  取出し口


【手続補正２】
【補正対象書類名】図面
【補正対象項目名】図６
【補正方法】削除
【補正の内容】
【手続補正３】
【補正対象書類名】図面
【補正対象項目名】図７
【補正方法】削除
【補正の内容】